(57)【要約】【課題】トイレ装置の洗浄ノズルを、お手入れ時の制約がなく、汚れの付き難いものとすることを目的とする。【解決手段】便器上に載置された本体３と、人体局部を洗浄する水噴出孔４を持つ洗浄ノズル５とを備え、この洗浄ノズル５は金属材の絞り加工で形成することにより、樹脂成形品のようにお手入れ時の制約がなくなり、また、金属パイプのように先端の封止部の繋ぎ目が不要となりフラット化が図れるので、お手入れ時の制約がなく、汚れの付き難い洗浄ノズルとなる。【選択図】  図１
2004285664.tif 000002
【特許請求の範囲】
【請求項１】
便器上に載置される本体と、人体局部を洗浄する水噴出孔を持つ洗浄ノズルとを備え、前記洗浄ノズルは金属材の絞り加工製としたトイレ装置。
【請求項２】
金属材をステンレスとした請求項１に記載のトイレ装置。
【請求項３】
洗浄ノズルの駆動およびストッパーとして必要なフランジ部も一体で形成した請求項１または２に記載のトイレ装置。
【請求項４】
フランジ部をＤ形状とした請求項３に記載のトイレ装置。
【請求項５】
水噴出孔の周囲は洗浄ノズル内側に凸部を形成した請求項１〜４のいずれか１項に記載のトイレ装置。
【請求項６】
洗浄ノズルにフッ素加工を施した請求項１〜５のいずれか１項に記載のトイレ装置。
【発明の詳細な説明】
【０００１】
【発明の属する技術分野】
本発明は、人体局部を洗浄するトイレ装置に関するものである。
【０００２】
【従来の技術】
従来、この種のトイレ装置としては、洗浄ノズルは樹脂成形品としている（例えば、特許文献１参照）。また、一部、洗浄ノズルとして金属パイプで形成しているものもあった。
【０００３】
【特許文献１】
特開２００１−３４８９４０号公報
【０００４】
【発明が解決しようとする課題】
しかしながら、前記従来の構成では、洗浄ノズルは樹脂成形品であるため、その物性上汚れが付き易く、また、お手入れ時、洗剤によっては割れる、高温水で洗えないなど制約が多いと言う課題があった。また、金属パイプ製のものは、先端に封止部が必要となり、その繋ぎ目に汚れが付き易いという課題を有していた。
【０００５】
本発明は、上記従来の課題を解決するもので、お手入れ時の制約がなく、汚れの付き難い洗浄ノズルを有するトイレ装置を提供することを目的とする。
【０００６】
【課題を解決するための手段】
前記従来の課題を解決するために、本発明のトイレ装置は、洗浄ノズルは金属材の絞り加工製としたものである。
【０００７】
これにより、洗浄ノズルはお手入れ時の制約のない汚れ難いものとすることができる。
【０００８】
【発明の実施の形態】
請求項１に記載の発明は、便器上に載置される本体と、人体局部を洗浄する水噴出孔を持つ洗浄ノズルとを備え、前記洗浄ノズルは金属材の絞り加工製としたトイレ装置とすることにより、洗浄ノズルは、汚れの付着が起こりにくく、お手入れ時にも洗剤を選ばず、高温水でも洗え、また先端の封止部が一体で形成され繋ぎ目もなくなりフラット化することができ、お手入れ時の制約のない汚れ難い洗浄ノズルを得ることができる。
【０００９】
請求項２に記載の発明は、金属材をステンレスとした請求項１に記載のトイレ装置とすることにより、特に、ステンレスが清潔感を増し、錆びに強い洗浄ノズルとすることができる。
【００１０】
請求項３に記載の発明は、洗浄ノズルの駆動およびストッパーとして必要なフランジ部も一体で形成した請求項１または２に記載のトイレ装置とすることにより、金属パイプ時では別付けになっていたフランジ部の結合は不要となり、シンプルな洗浄ノズルとすることができる。
【００１１】
請求項４に記載の発明は、フランジ部をＤ形状とした請求項３に記載のトイレ装置とすることにより、特に、洗浄ノズルの水噴出孔の方向性を容易に決めることができる。
【００１２】
請求項５に記載の発明は、水噴出孔の周囲は洗浄ノズル内側に凸部を形成した請求項１〜４のいずれか１項に記載のトイレ装置としたことにより、水の噴出の直進性を強め、洗浄性能を高めることができる。
【００１３】
請求項６に記載の発明は、洗浄ノズルにフッ素加工を施した請求項１〜５のいずれか１項に記載のトイレ装置とすることにより、特に、汚れを弾き、お手入れをより容易にすることができる。
【００１４】
【実施例】
以下、本発明の実施例について、図面を参照しながら説明する。
【００１５】
図は本発明の実施例におけるトイレ装置の洗浄ノズルを示すものである。また、図３に示すように、トイレ装置は、便器（図示せず）上に載置される便座１と、便座１に対して開閉自在な便蓋２と、便座１と一体に設けた本体３とを装備している。そして、本体３には、人体局部を洗浄する水噴出孔４を持つ洗浄ノズル５を備えている。この洗浄ノズル５は、端部のフランジ部６側から暖められた温水が流れ込み、その受圧力で前方へ駆動する（図１（ａ）から（ｂ）状態へ）。また、洗浄ノズル５は、シリンダパイプ７の中に納められ、その外周にスプリング８が装備され、シリンダパイプ７に対し前後に移動するものである。洗浄ノズル５が延びた状態（図１（ａ））では、フランジ部６がシリンダパイプ７の段付部９に当接し、ストッパーとなり、洗浄ノズル５の先端部の水噴出孔４から温水を噴出し人体局部を洗浄する。そして、洗浄が終了し、温水の通流が止まると、スプリング８の付勢力で洗浄ノズル５は後方へ戻り、洗浄ノズル５は再びシリンダパイプ７内へ納められる（図１（ｂ））。なお、洗浄ノズル１０は、洗浄ノズル５と同機能を持つ女性の局部を専用に洗うもので、洗浄ノズル５と同様な構成、機能を有するものである。これら洗浄ノズル５、１０は温水を供給するホース１１が接続されているものである。
【００１６】
そして、前記洗浄ノズル５は、ステンレス製薄板よりなる金属材を深絞り加工して形成したものであり、洗浄ノズル５の駆動およびストッパーとして必要なフランジ部６も一体で形成している。また、水噴出孔４の周囲は洗浄ノズル５内側に突出した凸部１２を一体に形成し、水の噴出の直進性を強め、洗浄性能を高めるようにしている。また、フランジ部６は、図２に示すように、Ｄ形状とし、洗浄ノズル５の水噴出孔４の方向性を容易に決めることができるように配慮されている。さらに、洗浄ノズル５全体表面には、フッ素加工ａを施し、汚れを弾き、お手入れをより容易にするようにしている。なお、前記した各構成は、必要に応じて採用されるものであり、本実施例においては、各構成全てが必須要件ではない。また、洗浄ノズル１０においても同様な構成を採用することができる。
【００１７】
以上のように構成されたトイレ装置において、人体の局部洗浄については、従来と何ら変わることがないが、洗浄ノズル５を金属材の絞り加工で形成することにより、お手入れ時、樹脂成形品のように物性上汚れが付き易いということがなくなり、さらに洗剤によっては割れる、高温水で洗えないなどの制約がなくなる。また、金属パイプのように先端の封止部が不必要となり、その繋ぎ目がなくなり、汚れが付き易いという不具合がなくなる。この結果、樹脂成形品のように汚れが付かず、お手入れ時にも洗剤を選ばず、高温水でも洗え、また先端の封止部が一体で形成され繋ぎ目もなくなりフラット化が図れることで、お手入れ時の制約がなく、汚れ難い洗浄ノズル５を得ることができる。また、金属材をステンレスとすることにより、さらに清潔感を増し、錆びに強い洗浄ノズル５とすることができる。また、洗浄ノズル５の駆動およびストッパーとして必要なフランジ部６も一体で形成することにより、従来、金属パイプでは別付けになっていたフランジ部６の結合は不要となり、シンプルな洗浄ノズル５とすることができる。また、フランジ部６をＤ形状とすることにより、洗浄ノズル５の水噴出孔４の方向性を決めることができる。また、水噴出孔４周囲は洗浄ノズル内側に凸部１２を形成することにより、水の噴出の直進性を強め、洗浄性能を高めることができる。また、洗浄ノズル５にフッ素加工ａを施することにより、汚れを弾き、お手入れをより容易にすることができる。
【００１８】
【発明の効果】
以上のように、本発明のトイレ装置によれば、洗浄ノズルは、お手入れ時の制約がなく、汚れの付き難い清潔なものとすることができる。
【図面の簡単な説明】
【図１】（ａ）本発明の実施例におけるトイレ装置の洗浄ノズルの動作前を示す断面図
（ｂ）同洗浄ノズルの動作時の断面図
【図２】同トイレ装置の洗浄ノズルの斜視図
【図３】同トイレ装置の全体の斜視図
【符号の説明】
１  便座
３  本体
４  水噴出孔
５  洗浄ノズル
６  フランジ部
１２  凸部
ａ  フッ素加工
【図１】
2004285664.tif 000003
【図２】
2004285664.tif 000004
【図３】
2004285664.tif 000005